(57)【要約】【課題】外部装置との間で有線接続又は無線接続によるデータ通信を行うことができ、かつ水中環境下で使用することが可能な撮影装置において、使用環境に応じて適切な撮影条件の動作モードが自動的に設定されることで良好な操作性を確保した撮影装置を提供する。【解決手段】水中で使用することが可能な撮影装置であって、被写体を撮影する撮影手段と、撮影手段により取得した画像データを記録する記録手段と、外部装置との間で無線接続を行って情報の送受信を行う無線通信手段と、無線通信手段による無線信号の送受信動作によって当該撮影装置が水中にあることを検出する水中検出手段とを具備し、水中検出手段により当該撮影装置が水中にあることが検出された場合には、無線通信手段による外部装置との情報の送受信を停止する。【選択図】図１
2008245109.tif 000002
【特許請求の範囲】
【請求項１】
水中で使用することが可能な撮影装置であって、
被写体を撮影する撮影手段と、
上記撮影手段により取得した画像データを記録する記録手段と、
外部装置との間で無線接続を行って情報の送受信を行う無線通信手段と、
上記無線通信手段による無線信号の送受信動作によって当該撮影装置が水中にあることを検出する水中検出手段と、
を具備し、
上記水中検出手段により当該撮影装置が水中にあることが検出された場合には、上記無線通信手段による外部装置との情報の送受信を停止することを特徴とする撮影装置。
【請求項２】
上記水中検出手段により当該撮影装置が水中にあることが検出された場合には、上記撮影手段により取得した画像データに対して、その画像データが水中撮影により取得された旨の情報を関連データとして付加することを特徴とする請求項１に記載の撮影装置。
【請求項３】
被写体に対して自動的に焦点調節動作を行うオートフォーカス手段を、さらに有することを特徴とする請求項１又は請求項２のいずれかに記載の撮影装置。
【請求項４】
上記オートフォーカス手段が有限距離に焦点調節を行っている場合において、上記無線通信手段による無線信号の送受信動作が成立しないときには、上記水中検出手段は、当該撮影装置が水中にあると判断することを特徴とする請求項３に記載の撮影装置。
【請求項５】
上記撮影手段による撮影動作を実行する際の撮影条件を設定する撮影条件設定手段を、さらに具備し、
上記水中検出手段により当該撮影装置が水中にあることが検出された場合には、上記撮影条件設定手段は、水中撮影に適した撮影条件に設定することを特徴とする請求項１〜請求項４のうちのいずれか一つに記載の撮影装置。
【請求項６】
上記水中検出手段により当該撮影装置が水中にないことを検出した場合には、上記無線通信手段は、外部装置との間で無線接続を確立した後、上記記録手段に記録されている画像データを自動的に無線送信することを特徴とする請求項１〜５のうちのいずれか一つに記載の撮影装置。
【請求項７】
当該撮影装置は、耐水ケースを装着したデジタルカメラであることを特徴とする請求項１〜６のうちのいずれか一つに記載の撮影装置。
【発明の詳細な説明】
【技術分野】
【０００１】
この発明は、撮影装置、詳しくは外部装置との間で有線接続又は無線接続によるデータ通信を行うことのでき、かつ水中で使用することが可能な撮影装置に関するものである。
【背景技術】
【０００２】
従来、撮影光学系により結像される光学像を撮像素子等の光電変換素子により光電変換処理することで、所望の被写体の光学像を電気的な画像信号として取得した後、この画像信号をデジタルデータ化した形態の画像データと、当該画像信号に関連する各種の情報データとを合わせて形成したデジタル画像データファイル（以下、画像ファイルという）として記録媒体に記録し得るように構成したいわゆるデジタルカメラ等の撮影装置（以下、単にデジタルカメラという）が広く一般に普及している。
【０００３】
このようなデジタルカメラにおいては、記録媒体に記録された画像ファイルを、例えば小型コンピュータ等の画像再生装置又は画像処理装置や、プリンター等の画像印刷装置等の外部装置へとデータ伝送する手段を有しているものがある。
【０００４】
このデータ伝送手段としては、デジタルカメラと外部装置との間を接続ケーブル等の線による伝送路を用いてデータ伝送を行う有線接続インターフェース（以下、有線接続ＩＦと略記する）、具体的にはＵＳＢ（Ｕniversal Ｓerial Ｂus）規格に準拠した有線通信機能によるＵＳＢ接続等がある。
【０００５】
また、他のデータ伝送手段としては、電磁波や赤外線等を用いることでデジタルタルカメラと外部装置との間の伝送路として電線を使用せずにデータ伝送を行う無線接続インターフェース（以下、無線接続ＩＦと略記する）、具体的にはワイヤレスＵＳＢ（Ｗireless Ｕniversal Ｓerial Ｂus；ＷＵＳＢ）規格に準拠した無線通信機能によるＷＵＳＢ接続や、超広帯域（ＵＷＢ；Ｕltra Ｗide Ｂand) 無線接続や、ＩｒＤＡ（アイアールディーエイ；Infrared Data Association）規格に準拠した赤外線通信機能による光無線接続等がある。
【０００６】
なお、超広帯域（ＵＷＢ；Ｕltra Ｗide Ｂand) 無線技術は、対象物（被写体）までの距離を測定する測距技術として利用することも、近年、種々の提案がなされている。
【０００７】
そして、近年のデジタルカメラにおいては、有線接続ＩＦと無線接続ＩＦとを合わせ持ち、場合に応じて両者のいずれかを使い分けることで、その場の環境に応じて外部装置との間で効率的にデータ伝送を行うことができるようになっている。
【０００８】
一方、従来のデジタルカメラ等の撮影装置においては、水中等の環境下で使用することができるように、水密性の外装部材を有して構成したものが種々実用化されている。
【０００９】
そこで、水中で使用することが可能で、かつ有線接続ＩＦと無線接続ＩＦとを合わせ持つ構成とし、外部装置との間で有線接続又は無線接続によるデータ通信を行うことのできる撮影装置を実現することが考えられる。
【００１０】
他方、無線データ通信やＵＷＢ測距技術等に用いられる高周波の無線信号（電磁波）は、水中環境において減衰してしまうことから、水中環境において無線信号（電磁波）を用いる技術は使用することはできない。
【００１１】
そこで、従来のデジタルカメラ等の撮影装置において、無線技術を用いる機能を有するものにおいては、デジタルカメラ等の撮影装置を水中で使用するときには、無線を使用する機能を停止するように構成したものが、例えば特開２００６−１６６３６０号公報等によって種々提案されている。
【００１２】
上記特開２００６−１６６３６０号公報によって開示されている撮影装置は、動作モード選択手段により水中撮影モードが選択設定されているときには、無線通信手段の動作を禁止するというものである。
【特許文献１】特開２００６−１６６３６０号公報
【発明の開示】
【発明が解決しようとする課題】
【００１３】
ところが、上記特開２００６−１６６３６０号公報によって開示されている撮影装置は、選択されている動作モードが水中撮影モードであるときに、無線通信手段の動作を禁止するようにしているので、例えば、撮影装置が水中環境以外の環境にあって、無線技術を用いる機能を使用可能な環境にある場合であっても、動作モード選択手段によって水中撮影モードの選択設定がなされている場合には、無線機能を使用することができない状態になってしまうという問題がある。
【００１４】
動作モード選択手段による動作モードの選択設定は、使用者による任意操作によるものであるので、例えば操作ミス等が生じた場合、使用者の意図しない動作モードが選択設定されてしまうことはあり得る。
【００１５】
本発明は、上述した点に鑑みてなされたものであって、その目的とするところは、外部装置との間で有線接続又は無線接続によるデータ通信を行うことができ、かつ水中環境下で使用することが可能な撮影装置において、使用環境に応じて適切な撮影条件の動作モードが自動的に設定される構成を有し、良好な操作性を確保し得る撮影装置を提供することである。
【課題を解決するための手段】
【００１６】
上記目的を達成するために、本発明による撮影装置は、水中で使用することが可能な撮影装置であって、被写体を撮影する撮影手段と、上記撮影手段により取得した画像データを記録する記録手段と、外部装置との間で無線接続を行って情報の送受信を行う無線通信手段と、上記無線通信手段による無線信号の送受信動作によって当該撮影装置が水中にあることを検出する水中検出手段と、を具備し、上記水中検出手段により当該撮影装置が水中にあることが検出された場合には、上記無線通信手段による外部装置との情報の送受信を停止することを特徴とする。
【発明の効果】
【００１７】
本発明によれば、外部装置との間で有線接続又は無線接続によるデータ通信を行うことができ、かつ水中環境下で使用することが可能な撮影装置において、使用環境に応じて適切な撮影条件の動作モードが自動的に設定される構成を有し、良好な操作性を確保し得る撮影装置を提供することができる。
【発明を実施するための最良の形態】
【００１８】
以下、図示の実施の形態によって本発明を説明する。
【００１９】
図１は、本発明の第１の実施形態の撮影装置（デジタルカメラ）の内部構成の概略を示すブロック構成図である。図２，図３は、図１のデジタルカメラの外観を示し、このうち図２は正面図、図３は背面図である。
【００２０】
本実施形態の撮影装置は、例えば光学レンズ等によって形成される被写体像を受光して、これを撮像素子等によって光電変換して電気的な画像信号を取得し、この画像信号を画像データとして記録媒体等に記録するための構成を具備し、かつ外部装置（例えば小型コンピュータ等の画像再生装置又は画像処理装置や外部ストレージ装置，他のデジタルカメラ等の撮影装置，プリンター等の画像印刷装置等）との間でデータ通信を行うための有線通信機能及び無線通信機能を具備しており、さらに、水中環境においても使用することができるように水密性の外装部材を有するデジタルカメラである。
【００２１】
本実施形態の撮影装置であるデジタルカメラ（以下、単にデジタルカメラという）１００は、図１に示すように、レンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記録バッファ１４と、記録媒体インターフェース（記録媒体Ｉ／Ｆ）１５と、記録媒体１６と、アクチュエータ１７と、アクチュエータ駆動回路１８と、外部有線データインターフェース（外部有線データＩ／Ｆ）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ１９と、外部無線データインターフェース（Ｉ／Ｆ）２０と、第１無線アンテナ２１ａ及び第２無線アンテナ２１ｂと、ＵＷＢ測距回路３４等によって主に構成されている。
【００２２】
レンズ１は、光学的な被写体像を形成し、これを撮像素子２の受光面上に結像させるために設けられるものである。
【００２３】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００２４】
撮像回路３は、撮像素子２からの出力信号を受けて、その画像信号に対して各種のアナログ信号処理を行う電子回路である。
【００２５】
Ａ／Ｄ変換器４は、撮像回路３から出力されるアナログ形式の画像信号を受けて、デジタル形式の画像信号に変換するための回路である。
【００２６】
なお、本実施形態のデジタルカメラ１００においては、上述のレンズ１，撮像素子２，撮像回路３，Ａ／Ｄ変換器４等によって、被写体を撮影する撮影手段の主要部が構成される。
【００２７】
信号処理回路５は、Ａ／Ｄ変換器４から出力されたデジタル形式の画像信号を受けて、各種のデジタル的な信号処理を行う回路である。
【００２８】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００２９】
ＦＩＦＯメモリ７は、画像信号を各種の表示装置へ向けて出力する際に、当該画像信号の一時的な記憶を行うために設けられるメモリである。
【００３０】
ＴＦＴ液晶駆動回路９は、ＦＩＦＯメモリ７から出力される画像信号を受けてＴＦＴパネル１０を制御する回路である。
【００３１】
ＴＦＴパネル１０は、ＴＦＴ液晶駆動回路９の制御によって画像信号に基づく画像や当該デジタルカメラ１００における各種の情報等を表示するための表示部であり、カラー表示可能なものが用いられる。
【００３２】
ＴＦＴパネル１０は、図２に示すようにデジタルカメラ１００の背面側の略中央部に、その表示面を外側に向けて配設されている。
【００３３】
バックライトユニット１１は、ＴＦＴパネル１０の背面側に設けられ、当該ＴＦＴパネル１０を背面側から照明するためのものである。
【００３４】
なお、本実施形態のデジタルカメラ１００においては、上述のＴＦＴ液晶駆動回路９，ＴＦＴパネル１０，バックライトユニット１１等によって、上記撮影手段により撮影された被写体像を画像として表示する表示手段の主要部が構成される。
【００３５】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００３６】
ビデオ出力端子１３は、本デジタルカメラ１００と外部表示装置等との間を電気的に接続するビデオケーブル等の信号線を接続するための接続端子である。
【００３７】
記録バッファ１４は、フレームメモリ６に一時的に記憶されている画像信号等を記録媒体１６に画像データとして記録するとき、若しくは記録媒体１６から画像データを読み出してフレームメモリ６に一時的に記憶するとき等に用いられるバッファ（一時保存領域）である。
【００３８】
記録媒体Ｉ／Ｆ１５は、記録媒体１６への画像データ等の記録処理や、記録媒体１６からの画像データ等の読み出し処理等を制御するための回路である。
【００３９】
記録媒体１６は、画像データやその他の各種データを記録するための不揮発性の記録媒体、例えば薄板形状，カード形状からなるメモリカード等である。この記録媒体１６としては、例えばデジタルカメラ１００等の機器に対して着脱自在とする形態のものや、デジタルカメラ１００等の機器内部の電気回路に固設されている形態のもの等、様々な形態のものがあり、いずれの形態のものでも、本実施形態のデジタルカメラ１００に適用し得る。
【００４０】
なお、本実施形態のデジタルカメラ１００においては、記録媒体１６はカメラに対して着脱自在に配置される形態のものが用いられている。
【００４１】
上述の記録バッファ１４，記録媒体Ｉ／Ｆ１５等によって、上記撮影手段で撮影された画像に関する画像信号及びその付随データ等を所定の形態のデータとして記録媒体１６に記録する記録手段の主要部が構成される。
【００４２】
アクチュエータ１７は、レンズ１を駆動して、オートフォーカス動作を行ったりあるいはズーミング動作を行ったりするための駆動源である。
【００４３】
アクチュエータ駆動回路１８は、第１ＣＰＵ３１の制御に基づいてアクチュエータ１７を制御し駆動する回路である。
【００４４】
アクチュエータ１７及びアクチュエータ駆動回路１８によって、レンズ１を、その光軸方向に移動させることによって被写体像の自動焦点調節（ＡＦ）動作を行う自動焦点調節手段（オートフォーカス（ＡＦ）手段）の主要部を構成している。
【００４５】
外部有線データインターフェース（外部有線データＩ／Ｆ）２２は、本デジタルカメラ１００と外部装置（図示せず）との間において画像データ等の送受信を接続ケーブル等を介して行うための接続部分（インターフェース）であって、例えばＵＳＢ（Ｕniversal Ｓerial Ｂus）規格やＩＥＥＥ１３９４規格等に準拠した有線通信機能を有するものが適用される。本実施形態は、ＵＳＢ規格に準拠した有線通信機能を有するシステムとして例示している。
【００４６】
この外部有線データインターフェース２２及びこれに接続される接続ケーブル（図示せず）と、第１ＣＰＵ３１のシステムコントロール部３１ａ内に設けられる有線通信制御手段としてのＵＳＢ通信制御機能部３１ｂ等によって、本デジタルカメラ１００と外部装置との間で有線接続することにより情報（データ信号）を送受信する有線通信手段の主要部が構成される。
【００４７】
キーマトリクス２３は、本実施形態のデジタルカメラ１００に設けられる各種の操作スイッチや操作ボタン等を含む操作入力手段の総称として用いている。即ち、キーマトリクス２３の具体的な構成例は、例えば図２又は図３に示すように、当該デジタルカメラ１００の電源状態をオン又はオフ状態に切り換える電源ボタン２３ｐや、撮影動作を開始させるレリーズボタン２３ａ、撮影動作モード時には撮影倍率を変更するズームボタンとして機能する一方、再生動作モード時には再生画像の拡大表示や縮小表示の表示切換ボタンとして機能するズームレバー２３ｂ，メニュー画面を呼び出す等各種の機能に割り当てられる各種操作ボタン２３ｃ，２３ｄ，２３ｅ，メニュー画面などの選択設定を行う四方向選択キー（十字キーともいう）２３ｆ，各種の操作ボタンを用いて選択した項目を決定する指示を行うＯＫボタン２３ｇ等等、各種の操作部材と、これらの操作部材のそれぞれに連動し所定の指示信号を発生させるスイッチ部材及び各スイッチ部材からの指示信号を伝達する電気回路等を含んで構成される入力操作系の構成部材である。このキーマトリクス２３の各操作部材が操作されることによって発生した指示信号は、第１ＣＰＵ３１に向けて出力されるようになっている。
【００４８】
本実施形態のデジタルカメラ１００におけるキーマトリクス２３を構成する各種の操作部材の一部（２３ｂ，２３ｃ，２３ｄ，２３ｅ，２３ｆ，２３ｇ等）は、図３に示すように外装部材の一部を構成する背面カバー１０２の表面上の所定の部位にそれぞれ設けられている。また、キーマトリクス２３におけるその他操作部材の一部（２３ａ，２３ｐ等）は、本デジタルカメラ１００の上面側の所定の部位に配置されている。
【００４９】
なお、本デジタルカメラ１００は、図２，図３に示すように、主に前面側を覆う前面カバー１０１と、主に背面側を覆う背面カバー１０２とによって外装部材を構成している。前面カバー１０１には、レンズ１の前面にレンズ窓部が穿設されていて、このレンズ窓部には、ガラスやプラスチック等からなる透明な平板部材であるカバーガラス１ａが、水密的に設けられている。そして、前面カバー１０１の内側の所定の部位には、例えば図２に示すような位置に一対の第１無線アンテナ２１ａが配設されている。
【００５０】
また、背面カバー１０２には、上述したようにキーマトリクス２３の各種の操作部材がそれぞれ所定の部位に配置されており、さらにＴＦＴパネル１０の表示部が背面側に向けて配置されている。そして、背面カバー１０２の内側の所定の部位には、例えば図３に示すような位置に一対の第２無線アンテナ２１ｂが配設されている。
【００５１】
ＬＣＤ表示回路２４は、第１ＣＰＵ３１の制御に基づいてＬＣＤパネル２５を制御し、これに各種の情報表示を行わせる回路である。
【００５２】
ＬＣＤパネル２５は、例えば小型の液晶表示装置（ＬＣＤ）等によって構成され、当該デジタルカメラ１００において設定済みの撮影条件や各種の設定情報、例えば撮影モード等の動作モード情報や、記録媒体１６に記録可能な画像の枚数情報，撮影時のシャッタ速度や絞り値等の露出に関する情報等を表示する情報表示部材である。
【００５３】
電池２６は、当該デジタルカメラ１００における主（メイン）電源である。
【００５４】
バックアップ電源２８は、当該デジタルカメラ１００の内部メモリや内部時計等に対して常に電力を供給するために設けられ、例えば本デジタルカメラ１００における各種の設定値等の情報や日時情報等を保持したり、日付表示を上記ＬＣＤパネル２５等を用いて常時行い得るようにするための副（サブ）電源である。
【００５５】
電源回路２７は、第１ＣＰＵ３１の指令に基づいて上記電池２６及び上記バックアップ電源２８からの電源を受けて、本デジタルカメラ１００の内部の各電気回路へと適宜供給する制御を行う回路である。
【００５６】
電池状態検出回路２９は、電池２６における電圧等、当該電池２６の状態を検出して、同電池２６の電池残量等を算出し、その結果を第１ＣＰＵ３１へと出力する回路である。
【００５７】
第１ＣＰＵ３１は、主（メイン）ＣＰＵとして配設されているものである。この第１ＣＰＵ３１は、本実施形態のデジタルカメラ１００における各回路を統括的に制御するための制御手段である。そのために、本デジタルカメラ１００の第１ＣＰＵ３１は、同デジタルカメラ１００におけるシステム全体を適宜制御（コントロール）するためのシステムコントロール部３１ａを備えている。
【００５８】
このシステムコントロール部３１ａの内部には、各種の電気回路等が形成されていて、例えばＵＳＢ通信制御機能部３１ｂ，ＵＷＢ通信制御機能部３１ｆ，ＵＷＢ測距制御機能部３１ｄ，カメラ通信モード切換機能部３１ｅ等のほか、図示していないが、撮影手段にて撮影動作を実行する際の各種の撮影条件を設定する撮影条件設定手段としての回路部や、撮影動作により取得した画像信号の画像データとこの画像データに関連する各種の情報（関連データ）とを合わせて画像ファイルを生成する画像ファイル生成手段としての回路部や、この画像ファイル生成手段で生成された画像ファイルを適切な形態で記録媒体１６に記録する記録動作制御を行う回路部や、当該画像ファイルに基づく画像や関連データを表示手段を用いて視覚的に表示可能な形態で提示する表示動作を制御する回路部等、本デジタルカメラ１００における各種動作及び各種機能を制御するためのさまざまな制御回路を内部に有して構成されている。
【００５９】
ＵＳＢ通信制御機能部３１ｂは、例えばＵＳＢ規格に準拠した有線通信機能を実現するための有線通信手段、即ち外部有線データインターフェース２２等のオンオフ制御等を行う有線通信制御手段となる回路である。
【００６０】
カメラ通信モード切換機能部３１ｅは、本デジタルカメラ１００と外部装置（図示せず）との間におけるデータ通信を行う際の通信モードのうち有線通信モードと無線通信モードとの切り換え制御を行う回路である。
【００６１】
ＵＷＢ通信制御機能部３１ｆは、無線通信手段の一部である外部無線データインターフェース２０等のオンオフ制御等を行う無線通信制御手段として構成される回路である。
【００６２】
ＵＷＢ測距制御機能部３１ｄは、無線測距手段の一部であるＵＷＢ測距回路３４等の制御を行う無線測距制御手段として構成される回路である。
【００６３】
ここで、本実施形態のデジタルカメラ１００における無線通信手段及び無線測距手段の構成について、以下に詳述する。
【００６４】
本実施形態のデジタルカメラ１００は、無線通信機能を備えた外部装置（特に図示せず）との間で無線接続を確立することにより情報（データ信号）を送受信する無線通信を行ない得る無線通信手段を具備している。本デジタルカメラ１００においては、無線通信機能を実現するための方式として、例えば高速無線通信を行い得る超広帯域（ＵＷＢ；Ｕltra Ｗide Ｂand) 無線システムを利用したＵＷＢ無線システムを適用している。
【００６５】
そのために、本デジタルカメラ１００は、第１無線アンテナ２１ａ及び第２無線アンテナ２１ｂと、外部無線データインターフェース２０と、第１ＣＰＵ３１のシステムコントロール部３１ａ内に設けられる無線通信制御手段としてのＷＵＳＢ通信制御機能部３１ｃ等からなる無線通信手段を有している。
【００６６】
さらに、本実施形態のデジタルカメラ１００においては、上述の無線通信手段の構成に加えて、ＵＷＢ測距回路３４と、第１ＣＰＵ３１のシステムコントロール部３１ａ内に設けられるＵＷＢ測距制御機能部３１ｄとを有しており、これらによってＵＷＢ無線システムによる測距手段が構成されている。このＵＷＢ無線システムを利用してなる測距手段は、本デジタルカメラ１００を主に水中撮影モード以外に設定したときに用いられる。
【００６７】
その一方で、本デジタルカメラ１００において、水中撮影モードが設定されたときの測距手段としては、通常のデジタルカメラと同様の測距方式、例えば撮像素子等を用いて行うコントラスト検出方式の測距動作を実現するための測距手段を備えている。
【００６８】
このことは、水中以外の環境下では、通常と同様のコントラスト検出方式とＵＷＢ無線システムによる測距手段とを併用すれば、高精度な測距結果を得られる一方、水中環境下においては、測距用の無線信号（電磁波）が減衰してしまうことから、ＵＷＢ無線システムによる測距手段は、水中環境下での使用に適さないという理由によって、水中撮影を行う得る本実施形態のデジタルカメラにおいては、二種類の測距手段を備えている。
【００６９】
第１無線アンテナ２１ａ及び第２無線アンテナ２１ｂは、デジタルカメラ１００と外部装置（図示せず）との間で無線によるデータ通信を行うのに際して、外部装置から発信される所定の形態の電磁波等の無線信号であってデータ通信に係る無線信号を受信すると共に、本デジタルカメラ１００から発信される所定の形態の電磁波等の無線信号であってデータ通信用の無線信号を送信する無線信号入出力部である。
【００７０】
これと同時に、第１無線アンテナ２１ａ及び第２無線アンテナ２１ｂは、測距用の電磁波等の無線信号の発信及び受信を行って三角測量法による測距を行うための測距用無線信号入出力部となっている。
【００７１】
そして、第１無線アンテナ２１ａ及び第２無線アンテナ２１ｂは、それぞれが外部無線データインターフェース２０及びＵＷＢ測距回路３４へと接続されていて、送受信した無線信号について、外部無線データインターフェース２０又はＵＷＢ測距回路３４を介して第１ＣＰＵ３１との間で入出力するようになっている。
【００７２】
なお、第１無線アンテナ２１ａ及び第２無線アンテナ２１ｂは、それぞれ一対の部材からなり、デジタルカメラ１００の内部において、上述したように、例えば前面カバー１０１及び背面カバー１０２のそれぞれの内側の所定の部位にあって、各アンテナ構成部材が所定の間隔を置いて配置されている（図２，図３参照）。したがって、本実施形態のデジタルカメラ１００においては、前面カバー１０１側の第１無線アンテナ２１ａから発信される電磁波（無線信号）は、前面カバー１０１に対向する側の領域へと放射される一方、背面カバー１０２側の第２無線アンテナ２１ｂから発信される電磁波（無線信号）は、背面カバー１０２に対向する側の領域へと放射されるようになっている。
【００７３】
外部無線データインターフェース２０は、第１無線アンテナ２１ａ及び第２無線アンテナ２１ｂと第１ＣＰＵ３１との間に介在し両無線アンテナ２１ａ，２１ｂに入力される無線信号を所定の形態の電気信号に変換して第１ＣＰＵ３１へ出力したり、第１ＣＰＵ３１のＵＷＢ通信制御機能部３１ｆからの信号を無線信号に変換して両無線アンテナ２１ａ，２１ｂへと出力する無線通信手段の一部であって無線通信接続部（インターフェース）として機能している。
【００７４】
この外部無線データインターフェース２０は、第１ＣＰＵ３１のシステムコントロール部３１ａのＵＷＢ通信制御機能部３１ｆ（無線通信制御手段）によって制御される。
【００７５】
また、ＵＷＢ測距回路３４は、第１無線アンテナ２１ａ及び第２無線アンテナ２１ｂと第１ＣＰＵ３１との間に介在し、測距用の無線信号を第１無線アンテナ２１ａ及び第２無線アンテナ２１ｂにより送受信することでＵＷＢ無線測距機能を実現する回路である。
【００７６】
そして、ＵＷＢ測距回路３４，第１無線アンテナ２１ａ，第２無線アンテナ２１ｂ等によって、本デジタルカメラ１００における無線測距手段が構成されている。
【００７７】
なお、後述するように、この無線測距手段は、ＵＷＢ無線測距機能を動作させて無線信号の送受信動作による測距動作を行うことで、当該撮影装置が水中にあることを検出する水中検出手段としても機能するようになっている。
【００７８】
このように第１ＣＰＵ３１は、主に各種の動作制御を行うための集積回路である。
【００７９】
その一方、第２ＣＰＵ３２は、主に画像データ等のデータを扱う各種の処理制御を行う集積回路である。
【００８０】
即ち、第２ＣＰＵ３２は、例えばフレームメモリ６に一時的に記憶されている画像データを受けて各種の信号処理を施す各種の回路、例えば画像圧縮伸張部３２ｃ，記録媒体アクセス部３２ｂ等を内部に有して構成されている。
【００８１】
画像圧縮伸張部３２ｃは、フレームメモリ６に記憶されている画像データ等を読み出して、例えばＪＰＥＧ圧縮処理等を行ったり、記録媒体１６から読み出された圧縮画像データ等の伸張処理等を行うものである。
【００８２】
記録媒体アクセス部３２ｂは、記録媒体インターフェース１５による記録媒体１６へのアクセスを制御するための回路部である。
【００８３】
ＥＥＰＲＯＭ１９は、第１ＣＰＵ３１，第２ＣＰＵ３２により実行される処理プログラム（アプリケーションソフトウエア）等や、外部装置と通信するための通信設定情報等のデータ等等、本デジタルカメラ１００における各種の設定データや固有データ等を記憶し保持するための不揮発性記憶媒体である。このＥＥＰＲＯＭ１９としては、例えばフラッシュロム（ＦｌａｓｈＲＯＭ）等が適用される。
【００８４】
その他、本発明に関連しない部分の構成については、通常一般のデジタルカメラと同様の構成であるものとして、その詳細な図示及び説明は省略する。
【００８５】
このように構成された本実施形態のデジタルカメラ１００の作用を以下に説明する。
【００８６】
図４は、本実施形態のデジタルカメラを撮影動作可能な状態（撮影モード）で起動（パワーオン）させたときの作用の流れを示すフローチャートである。
【００８７】
まず、本実施形態のデジタルカメラ１００の電源ボタン２３ｐ（図２，図３参照）が使用者により押圧操作等されると、本デジタルカメラ１００は起動する（パワーオン）。この場合において、本デジタルカメラ１００の動作モードは、撮影動作を行い得る撮影モードで起動するものとする。
【００８８】
こうして、本デジタルカメラ１００が撮影モードで起動すると、図４のステップＳ１において、第１ＣＰＵ３１は、本デジタルカメラ１００の内部回路の初期化処理を実行する。この初期化処理は、通常のデジタルカメラで行われるのと同様の処理である。その後、ステップＳ２の処理に進む。
【００８９】
ステップＳ２において、第１ＣＰＵ３１は、システムコントロール部３１ａのＵＷＢ測距制御機能部３１ｄを制御して当該デジタルカメラ１００がＵＷＢ無線システムによる測距動作を行う測距モードとなるようにオン制御する。ここで、第１ＣＰＵ３１は、自己の内部に有するカウンタ値をリセットする（ｃｏｕｎｔ＝０）。その後、ステップＳ３の処理に進む。
【００９０】
ステップＳ３において、第１ＣＰＵ３１は、ＵＷＢ測距制御機能部３１ｄを介してＵＷＢ測距回路３４，第１無線アンテナ２１ａ，第２無線アンテナ２１ｂを制御して、ＵＷＢ無線システムによる測距動作処理を実行する。その後、ステップＳ４の処理に進む。
【００９１】
ステップＳ４において、第１ＣＰＵ３１は、上述のステップＳ３の処理にてＵＷＢ無線システムによる測距手段を用いて得られた測距結果についての確認を行う。つまり、第１ＣＰＵ３１は、第１無線アンテナ２１ａによる測距結果と、第２無線アンテナ２１ｂによる測距結果との両方共が無限遠であるか否かの確認を行う。ここで、第１無線アンテナ２１ａ及び第２無線アンテナ２１ｂの測距結果が両方共、無限遠であることが確認された場合には、本デジタルカメラ１００は水中環境にあるものとして、次のステップＳ５の処理に進む。また、第１無線アンテナ２１ａ及び第２無線アンテナ２１ｂの測距結果の少なくとも一方若しくは両方共が無限遠ではないと確認された場合には、本デジタルカメラ１００は水中以外の環境にあるものとして、ステップＳ８の処理に進む。
【００９２】
ＵＷＢ無線システムによる測距手段を用いた場合、水中以外の環境下では高精度な測距結果を得られる一方、水中環境下においては無線アンテナから発信した測距用の無線信号（電磁波）は減衰してしまうので、受信信号を得ることができず、よって、その時に得られる測距結果は無限遠となる。
【００９３】
したがって、デジタルカメラ１００が水中環境下にあるときにＵＷＢ無線システムによる測距手段を用いた場合には、送信信号の減衰によって、第１無線アンテナ２１ａ及び第２無線アンテナ２１ｂの測距結果が両方共、無限遠となる。
【００９４】
一方、水中以外の環境下にあっても、撮影対象となる被写体が当該デジタルカメラ１００の存在する場所から大きく隔たった場所（略無限遠距離）に存在するような場合、例えば風景撮影を行うような場合には、その測距結果は無限遠とされることが多い。
【００９５】
しかしながら、本実施形態のデジタルカメラ１００においては、上述したように前面カバー１０１側の第１無線アンテナ２１ａから発信される電磁波（無線信号）は、前面カバー１０１に対向する側の領域へと放射される一方、背面カバー１０２側の第２無線アンテナ２１ｂから発信される電磁波（無線信号）は、背面カバー１０２に対向する側の領域へと放射されるように構成している。
【００９６】
本デジタルカメラ１００を使用する場合において、通常は、使用者が自身の体躯若しくは顔の前側における所定の距離（例えば腕の長さ）を置いた領域にデジタルカメラ１００を載置若しくは手で支え持って撮影操作を行う。
【００９７】
したがって、例えば風景撮影等のように所望の被写体が略無限遠位置に存在するような状況において、使用者が通常状態でデジタルカメラ１００を構えて撮影を行うとき、これに先立って実行される測距動作では、前面側の第１無線アンテナ２１ａによる測距結果は無限遠になる一方、背面側の第２無線アンテナ２１ｂによる測距結果は、使用者の体躯若しくは顔等の存在する位置までの距離となる。したがって、二つの無線アンテナ２１ａ，２１ｂの測距結果は相違し、両者が共に無限遠になることはない。
【００９８】
なお、水中以外の環境下にて当該デジタルカメラ１００を使用する際に、例えば三脚等にデジタルカメラ１００を据え付けたり、デジタルカメラ１００の持ち方次第では、第１無線アンテナ２１ａ及び第２無線アンテナ２１ｂによる測距結果が共に無限遠になる場合もあり得る。しかしながら、本実施形態においては、後述するように同じ測距動作を複数回（本例では少なくとも４回）繰り返すことにより、検出精度の誤差を吸収し得るように努めている。
【００９９】
図４に戻って、第１無線アンテナ２１ａ及び第２無線アンテナ２１ｂによる測距結果の少なくとも一方若しくは両方共が無限遠ではないと確認されてステップＳ８の処理に進むと、このステップＳ８において、第１ＣＰＵ３１は、本デジタルカメラ１００の動作モードを、水中以外の環境下で用いるための通常の動作モード（通常モード）に設定する処理を行う。
【０１００】
ここで、通常モードとは、撮影モードとデータ通信モードとを通常の設定、即ち水中以外の通常の環境下にて本デジタルカメラ１００を使用するのに適する設定とした動作形態である。
【０１０１】
一例を挙げると、撮影モードの通常設定としては、例えば測光手段（特に図示せず）による測光結果に応じて絞り値及びシャッター速度値，感度値等の設定を、予め設定（プログラム）されたプログラムラインに基づいて自動的に設定するプログラムモード等である。
【０１０２】
また、データ通信モードの通常設定としては、無線接続によるデータ通信を機能させるＵＷＢ無線システムによるＵＷＢ無線接続通信モードである。
【０１０３】
なお、本実施形態のデジタルカメラ１００におけるデータ通信モードの設定処理としては、第１ＣＰＵ３１のシステムコントロール部３１ａのカメラ通信モード切換機能部３１ｅによって行われる制御処理であって、現在設定されているデータ通信モードをＵＷＢ無線通信モードに切り換え設定すると共に、ＵＷＢ通信制御機能部３１ｆを制御してＵＷＢ無線通信機能をオン制御する。また、ＵＳＢ通信制御機能部３１ｂを制御して有線通信手段による有線通信機能をオフ制御する処理である。
【０１０４】
このように、上述のステップＳ８の処理にて、通常モード設定処理を実行した後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１０５】
一方、上述のステップＳ４の処理において、第１無線アンテナ２１ａ及び第２無線アンテナ２１ｂの測距結果が両方共、無限遠であることが確認された場合にステップＳ５の処理に進むと、このステップＳ５において、第１ＣＰＵ３１は、自己の内部に有するカウンタ値をインクリメントする（ｃｏｕｎｔ＝ｃｏｕｎｔ＋１）。その後、ステップＳ６の処理に進む。
【０１０６】
ステップＳ６において、第１ＣＰＵ３１は、カウンタ値が所定値「４」以上か否かの確認を行う（ｃｏｕｎｔ≧４）。ここで、カウンタ値が所定値「４」に達していない場合（ｃｏｕｎｔ＜４）には、上述のステップＳ３の処理に戻り、以降の処理を繰り返す。一方、カウンタ値が所定値「４」以上である場合（ｃｏｕｎｔ≧４）には、次のステップＳ７の処理に進む。
【０１０７】
ステップＳ７において、第１ＣＰＵ３１は、本デジタルカメラ１００の動作モードを、水中環境下で用いるための動作モードである水中撮影モードに設定する処理を行う。
【０１０８】
ここで、本実施形態における水中撮影モードに対応するデータ通信モードの通常設定としては、有線接続によるデータ通信を機能させるＵＳＢ有線接続通信モードである。
【０１０９】
なお、本実施形態のデジタルカメラ１００におけるデータ通信モードの設定処理は、上述の通常モード設定処理（ステップＳ８）と同様に、カメラ通信モード切換機能部３１ｅによって行われる制御処理であって、現在設定されているデータ通信モードをＵＳＢ有線接続通信モードに切り換え設定すると共に、ＵＳＢ通信制御機能部３１ｂを制御してＵＳＢ有線通信機能をオン制御する。また、ＵＷＢ通信制御機能部３１ｆを制御して無線通信手段による無線通信機能をオフ制御する。
【０１１０】
このように、上述のステップＳ７の処理にて、水中撮影モード設定処理を実行した後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１１１】
つまり、ステップＳ４の処理による確認ステップにて、ステップＳ３の測距動作処理による測距結果が、第１無線アンテナ２１ａ及び第２無線アンテナ２１ｂの両方共、無限遠であった場合には、当該測距動作処理を最大４回繰り返し、４回とも両方共無限遠であった場合には、デジタルカメラ１００は水中環境下に存在している状態であるものと推定して、データ通信モードを自動的に有線通信モードに切り換える制御が行われる。
【０１１２】
以上説明したように上記第１の実施形態によれば、ＵＷＢ無線システムによる無線通信手段及び測距手段を備えたデジタルカメラ１００において、撮影モードでの起動時に第１，第２無線アンテナ２１ａ，２１ｂの両方で測距動作を同時に行って、その測距結果に基づいて、本デジタルカメラ１００が水中環境下にあるか否かの検出を行い、その検出結果に基づいて、本デジタルカメラ１００の動作モードのうち撮影モードとデータ通信モードとを、その場の環境に応じた適切な動作モードに自動的に設定するようにしている。
【０１１３】
この場合において、デジタルカメラ１００の置かれている環境の検出を行うのに、当該デジタルカメラ１００に本来備えられているＵＷＢ無線システムによる測距手段を用いた測距結果に基づいて検出するようにしているので、検出のための構成部材を特別に設ける必要がなく、よってデジタルカメラ１００自体のサイズを維持しながら、確実な検出結果を常に得ることができ、かつ使用者が使用環境に応じて行うべき設定項目を、検出結果に基づいて自動的に設定されるようにしたので、良好な操作性を確保することができる。
【０１１４】
上述の第１の実施形態においては、デジタルカメラ１００が水中環境にあるか否かの検出を行って、当該デジタルカメラ１００の置かれている環境に応じた撮影モード及びデータ通信モードの設定を自動的に行うようにした例であるが、検出結果に応じて自動設定を行うべき設定項目については、これに限ることはない。
【０１１５】
次に説明する本発明の第２の実施形態の撮影装置（デジタルカメラ）では、上述の第１の実施形態と同様の検出を行って、その検出結果に応じて、撮影動作により取得されたデータを記録する記録先の設定を切り換える場合の例である。
【０１１６】
本実施形態の撮影装置であるデジタルカメラの構成は、上述の第１の実施形態のデジタルカメラと全く同様のもので構成され、その作用が異なるのみである。したがって、本実施形態のデジタルカメラの構成については、その詳細説明を省略し図１〜図３を参照するものとする。また、当該デジタルカメラの作用についても、上述の第１の実施形態と同様の処理ステップについては、図４と同じ処理ステップ符号を附して詳細説明を省略し、異なる処理ステップのみを、以下に説明する。
【０１１７】
図５は、本発明の第２の実施形態の撮影装置（デジタルカメラ）を撮影動作可能な状態（撮影モード）で起動（パワーオン）させたときの作用の流れを示すフローチャートである。
【０１１８】
まず、上述の第１の実施形態と同様に、使用者がデジタルカメラ１００の電源ボタン２３ｐ（図２，図３参照）の押圧操作を行って、これにより、本デジタルカメラ１００が撮影モードで起動すると、図５のステップＳ１において、第１ＣＰＵ３１は、本デジタルカメラ１００の内部回路の初期化処理を実行する。その後、ステップＳ２の処理に進む。
【０１１９】
ステップＳ２〜ステップＳ６の処理は、上述の第１の実施形態と全く同様の処理が行われる。
【０１２０】
そして、本実施形態においては、ステップＳ６の処理において、カウンタ値が所定値「４」以上であることが確認された場合（ｃｏｕｎｔ≧４）には、本デジタルカメラ１００は、水中環境下にあるものと推定される。その後、次のステップＳ９の処理に進む。
【０１２１】
ステップＳ９において、第１ＣＰＵ３１は、本デジタルカメラ１００の撮影動作によって取得された画像データ等の各種データの記録先を当該デジタルカメラ１００内の記録媒体１６（図１参照）に設定する処理を行う。
【０１２２】
また、本実施形態においては、ステップＳ４の処理において、第１無線アンテナ２１ａ及び第２無線アンテナ２１ｂの測距結果の少なくとも一方若しくは両方共が無限遠ではないと確認された場合には、本デジタルカメラ１００は水中以外の環境にあるものとして、ステップＳ１０の処理に進む。
【０１２３】
ステップＳ１０において、第１ＣＰＵ３１は、ＵＷＢ無線機能を通信モードで動作するように変更する制御処理を行う。即ち、ＵＷＢ測距制御機能部３１ｄによる測距動作の制御処理を停止（オフ制御）すると共に、カメラ通信モード切換機能部３１ｅによってデータ通信モードをＵＷＢ無線通信モードに切り換え設定し、ＵＷＢ通信制御機能部３１ｆを制御してＵＷＢ無線通信機能をオン制御する。さらに、ＵＳＢ通信制御機能部３１ｂを制御して有線通信手段による有線通信機能をオフ制御する。その後、ステップＳ１１の処理に進む。
【０１２４】
ステップＳ１１において、第１ＣＰＵ３１は、ＵＷＢ通信制御機能部３１ｆを介してＵＷＢ無線システムによる無線通信手段を制御して、当該デジタルカメラ１００の近傍に無線接続によるデータ通信を行う相手側の外部装置（接続先）を検索する処理の実行を開始する。その後、ステップＳ１２の処理に進む。
【０１２５】
ステップＳ１２において、第１ＣＰＵ３１は、上述のステップＳ１１の処理による検索処理の結果に基づいて、無線接続によるデータ通信を行ってデータ転送する相手側として適する外部装置（データ転送先）が当該デジタルカメラ１００の近傍に存在するか否かの確認を行う。ここで、適当なデータ転送先があることが確認された場合には、次のステップＳ１３の処理に進む。また、適当なデータ転送先がないことが確認された場合には、ステップＳ９の処理に進む。
【０１２６】
そして、上述したステップＳ９の処理を同様に実行した後、次の動作指示を待機する待機状態となる。ここで、何らかの動作指示が生じた場合、第１ＣＰＵ３１は、これを受けてその動作指示に応じた処理に移行する（リターン）。
【０１２７】
一方、上述のステップＳ１２の処理にて、本デジタルカメラ１００の近傍であってデータ転送動作を行い得る範囲内にデータ転送先としての相手方となる外部装置の存在が確認されて、次のステップＳ１３の処理に進むと、このステップＳ１３において、第１ＣＰＵ３１は、撮影動作によって取得したデータを記録する記録先を無線通信によって確立した外部装置側の記録媒体（図示せず）、即ち無線接続先に設定する処理を行う。
【０１２８】
このように、上述のステップＳ９及びステップＳ１３の各処理にて、検出された環境に応じたデータ記録先の設定処理を実行した後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１２９】
以上説明したように上記第２の実施形態によれば、上述の第１の実施形態と同様に、ＵＷＢ無線システムによる無線通信手段及び測距手段を備えたデジタルカメラ１００において、撮影モードでの起動時に第１，第２無線アンテナ２１ａ，２１ｂの両方で測距動作を同時に行って、その測距結果に基づいて、本デジタルカメラ１００が水中環境下にあるか否かの検出を行うようにしている。そして、本実施形態においては、その検出結果に基づいて、本デジタルカメラ１００により取得した画像データ等の各種データの記録先の設定を、その場の環境に応じた適切な記録先となるように自動的に設定することができる。したがって、本実施形態においても上述の第１の実施形態と同様に、良好な操作性を確保することができる。
【０１３０】
次に、本発明の第３の実施形態の撮影装置（デジタルカメラ）について、以下に説明する。
【０１３１】
本実施形態においては、上述の第１の実施形態と同様の検出を行って、その検出結果に応じて、撮影動作により取得され同デジタルカメラの記録媒体に記録済みのデータを転送する際のデータ通信モードの切り換え設定を行って、設定されたデータ通信モードでのデータ転送処理が可能である場合には、自動的にデータ転送処理を行う場合の例を示している。
【０１３２】
本実施形態の撮影装置であるデジタルカメラの構成も、上述の第１，第２の実施形態のデジタルカメラと全く同様のもので構成され、その作用が異なるのみである。したがって、本実施形態のデジタルカメラの構成についても、その詳細説明は省略し図１〜図３を参照するものとする。また、当該デジタルカメラの作用についても、上述の第１，第２の実施形態と同様の処理ステップについては、図４，図５と同じ処理ステップ符号を附して詳細説明を省略し、異なる処理ステップのみを、以下に説明する。
【０１３３】
図６は、本発明の第３の実施形態の撮影装置（デジタルカメラ）をデータ通信動作を行い得るデータ通信モードで起動（パワーオン）させたときの作用の流れを示すフローチャートである。
【０１３４】
まず、使用者によりデジタルカメラ１００の電源ボタン２３ｐ（図２，図３参照）が押圧操作されて、当該デジタルカメラ１００が起動し、さらに、使用者によってキーマトリクス２３のうちの所定の操作部材が操作されることにより、当該デジタルカメラ１００が通常のデータ通信モード、例えばＵＳＢ有線接続通信モード若しくはＵＷＢ無線通信モードのいずれかに設定された状態になると、図５のステップＳ１において、第１ＣＰＵ３１は、本デジタルカメラ１００の内部回路の初期化処理を実行する。その後、ステップＳ２の処理に進む。
【０１３５】
ステップＳ２〜ステップＳ６の処理は、上述の各実施形態と全く同様の処理が行われる。
【０１３６】
そして、本実施形態においては、ステップＳ６の処理において、カウンタ値が所定値「４」以上であることが確認された場合（ｃｏｕｎｔ≧４）には、本デジタルカメラ１００は、水中環境下にあるものと推定される。その後、次のステップＳ１４の処理に進む。
【０１３７】
ステップＳ１４において、第１ＣＰＵ３１は、本デジタルカメラ１００が水中環境下にあるので有線接続若しくは無線接続のいずれの通信手段によっても通信不能である旨の通信不能表示処理を実行する。この通信不能表示処理は、第１ＣＰＵ３１がＴＦＴ液晶駆動回路９を介してＴＦＴパネル１０を駆動制御することにより、当該ＴＦＴパネル１０の表示部を用いて所定の表示を行う制御処理である。
【０１３８】
また、本実施形態においては、上述の第２の実施形態と同様に、ステップＳ４の処理において、第１無線アンテナ２１ａ及び第２無線アンテナ２１ｂの測距結果の少なくとも一方若しくは両方共が無限遠ではないと確認された場合には、本デジタルカメラ１００は水中以外の環境にあるものとして、ステップＳ１０の処理に進む。
【０１３９】
ステップＳ１０〜ステップＳ１２の処理は、上述の第２の実施形態と全く同様の処理が行われる。
【０１４０】
そして、本実施形態においては、ステップＳ１２の処理において、上述のステップＳ１１の検索処理の結果に基づき適当なデータ転送先があることが確認された場合に、ステップＳ１５の処理に進む。
【０１４１】
ステップＳ１５において、第１ＣＰＵ３１は、ＵＷＢ通信制御機能部３１ｆを介してＵＷＢ無線システムによる無線通信手段を制御して、当該デジタルカメラ１００の近傍の外部装置との間で自動的に無線接続を確立した後、データ転送処理を実行する。
【０１４２】
一方、上述のステップＳ１２の処理において、上述のステップＳ１１の検索処理の結果に基づき適当なデータ転送先がないことが確認された場合には、ステップＳ１６の処理に進む。
【０１４３】
ステップＳ１６において、第１ＣＰＵ３１は、ＵＷＢ通信制御機能部３１ｆを制御してＵＷＢ無線通信機能をオフ制御すると共に、カメラ通信モード切換機能部３１ｅによってデータ通信モードをＵＳＢ有線接続通信モードに切り換え設定し、さらに、ＵＳＢ通信制御機能部３１ｂを制御して有線通信手段による有線通信機能をオン制御する処理を行う。その後、ステップＳ１７の処理に進む。
【０１４４】
ステップＳ１７において、第１ＣＰＵ３１は、無線接続を行うべき相手側の外部装置が近傍に存在しない旨を表わす表示処理を実行する。同時に、第１ＣＰＵ３１は、有線接続によるデータ通信を行うための操作、即ちＵＳＢケーブルの接続操作を促す表示やその手順を説明する表示等の表示処理を行う。
【０１４５】
これらの表示処理は、第１ＣＰＵ３１がＴＦＴ液晶駆動回路９を介してＴＦＴパネル１０を駆動制御することにより、当該ＴＦＴパネル１０の表示部を用いて所定の表示を行う制御処理である。その後、ステップＳ１８の処理に進む。
【０１４６】
ステップＳ１８において、第１ＣＰＵ３１は、使用者によって所定の通信ケーブルが当該デジタルカメラ１００の所定の接続端子に接続されるのを監視する。即ち、使用者は、ここで、外部有線データインターフェース２２に接続される接続端子（例えばＵＳＢ端子等。特に図示せず）に対して有線接続によるデータ通信を行うための接続ケーブル、例えばＵＳＢケーブル等の一端を接続するケーブル接続操作を行うことになる。この場合において、当該デジタルカメラ１００に接続されるＵＳＢケーブルの他の一端には、データ通信の相手側となる外部装置（図示せず）が接続されているものとする。
【０１４７】
続いて、ステップＳ１９において、第１ＣＰＵ３１は、外部有線データインターフェース２２を介してデジタルカメラ１００側の接続端子に接続されたＵＳＢケーブルを通じて、接続先、即ちデータ通信の相手側となる外部装置の状態等の確認を行う。その後、ステップＳ２０の処理に進む。
【０１４８】
ステップＳ２０において、第１ＣＰＵ３１は、上記ＵＳＢケーブルを介して接続された外部装置（接続先）を相手側とするデータ通信処理を行い得るか否かの確認を行う。ここで、接続先に問題がなくデータ通信処理を実行し得ることが確認された場合（ＯＫの場合）には、次のステップＳ２１の処理に進む。
【０１４９】
そして、ステップＳ２１において、第１ＣＰＵ３１は有線接続によるデータ転送処理を実行する。
【０１５０】
一方、上述のステップＳ２０の処理において、接続先に問題がありデータ通信処理を実行し得ないことが確認された場合には、ステップＳ２２の処理に進む。
【０１５１】
他方、ステップＳ２２において、第１ＣＰＵ３１は、無線接続を行うべき相手側の外部装置にデータ通信を行うための準備が整っていない等の理由から、有線接続が失敗した旨を表す表示処理を行う。この接続エラー表示処理は、第１ＣＰＵ３１がＴＦＴ液晶駆動回路９を介してＴＦＴパネル１０を駆動制御することにより、当該ＴＦＴパネル１０の表示部を用いて所定の表示を行う制御処理である。
【０１５２】
このように、上述のステップＳ１４の通信不能表示処理，ステップＳ１５の無線接続データ自動転送処理，ステップＳ２１の有線接続データ転送処理，ステップＳ２２の接続エラー表示処理等、各処理ステップにおけるそれぞれの処理が完了すると、その後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１５３】
以上説明したように上記第３の実施形態によれば、ＵＷＢ無線システムによる無線通信手段及び測距手段を備えたデジタルカメラ１００において、データ通信モードでの起動時に第１，第２無線アンテナ２１ａ，２１ｂの両方で測距動作を同時に行って、その測距結果に基づいて、本デジタルカメラ１００が水中環境下にあるか否かの検出を行って、その検出結果に応じて、無線接続によるデータ転送処理を自動実行するか、若しくは有線接続によるデータ転送処理を行うべく所定の処理を実行するようにする一方、データ転送処理を実行しえない環境下にあるか、若しくは同処理を実行しえない状況にある場合には、所定の表示を行って、処理を停止させるようにしている。
【０１５４】
したがって、その場の環境に応じてデータ通信動作を行い得る場合には、適切な動作形態でデータ転送処理を実行し得る。また、データ通信を行い得ない状態にある場合には、所定のエラー表示を行うことで、使用者は、その旨を知ることができるので、適宜、対処することができる。したがって、本実施形態においても上述の各実施形態と同様に、良好な操作性を確保することができる。
【０１５５】
次に、本発明の第４の実施形態の撮影装置（デジタルカメラ）について、以下に説明する。
【０１５６】
本実施形態は、上述の第１の実施形態と同様に、デジタルカメラ１００が水中環境にあるか否かの検出を行って、当該デジタルカメラ１００の置かれている環境に応じた撮影モード及びデータ通信モードの設定を自動的に行うようにした例である。
【０１５７】
上述の第１の実施形態においては、デジタルカメラ１００が水中環境にあるか否かの検出を二つの無線アンテナ（第１無線アンテナ２１ａ及び第２無線アンテナ２１ｂ）を用いた測距動作による測距結果に基づいて行うようにしている。これに対して、本実施形態においては、被写体側の測距を行う無線アンテナを用いて得られる測距結果に基づく自動焦点調節（ＡＦ）機構と、被写体像を撮影するための撮像素子を用いて行われる自動焦点調節機構とを順次動作させて、両機構による焦点調節結果に基づいてデジタルカメラ１００が水中環境にあるか否かの検出を行うようにしている点が異なる。
【０１５８】
本実施形態の撮影装置であるデジタルカメラの構成も、上述の各実施形態のデジタルカメラと全く同様のもので構成され、その作用が異なるのみである。したがって、本実施形態のデジタルカメラの構成についても、その詳細説明は省略し図１〜図３を参照するものとする。また、当該デジタルカメラの作用については、上述の第１の実施形態と同様の処理ステップについては、図４と同じ処理ステップ符号を附して詳細説明を省略し、異なる処理ステップのみを、以下に説明する。
【０１５９】
図７は、本発明の第４の実施形態の撮影装置（デジタルカメラ）を撮影動作可能な状態（撮影モード）で起動（パワーオン）させたときの作用の流れを示すフローチャートである。
【０１６０】
まず、上述の第１の実施形態と同様に、使用者がデジタルカメラ１００の電源ボタン２３ｐ（図２，図３参照）の押圧操作を行って、これにより、本デジタルカメラ１００が撮影モードで起動すると、図７のステップＳ１において、第１ＣＰＵ３１は、本デジタルカメラ１００の内部回路の初期化処理を実行する。その後、ステップＳ２の処理に進む。
【０１６１】
ステップＳ２において、上述の第１の実施形態と全く同様の処理が行われる。即ち、第１ＣＰＵ３１は、ＵＷＢ無線システムによる無線機能を測距モードでオン制御し、自己の内部カウンタ値をリセットする（ｃｏｕｎｔ＝０）。その後、ステップＳ３Ａの処理に進む。
【０１６２】
ステップＳ３Ａにおいて、第１ＣＰＵ３１は、ＵＷＢ測距制御機能部３１ｄを介してＵＷＢ測距回路３４，第１無線アンテナ２１ａ，第２無線アンテナ２１ｂを制御して、ＵＷＢ無線システムによる測距動作処理を実行する。この測距動作処理は、上述の第１の実施形態における図４のステップＳ３の処理と同様である。その後、ステップＳ３Ｂの処理に進む。
【０１６３】
ステップＳ３Ｂにおいて、第１ＣＰＵ３１は、レンズ１，撮像素子２，撮像回路３等の撮影手段及びアクチュエータ駆動回路１８，アクチュエータ１７等のレンズ駆動手段を制御して、撮像素子２を用いて得られる電子的な被写体像に基づくコントラスト検出方式による自動焦点調節（ＡＦ）動作処理を実行する。その後、ステップＳ２２の処理に進む。
【０１６４】
ステップＳ２２において、第１ＣＰＵ３１は、上述のステップＳ３Ａの処理、即ちＵＷＢ無線システムによる測距手段を用いた測距処理から得られた測距結果（以下、ＵＷＢ無線機能の測距結果という）と、上述のステップＳ３Ｂの処理、即ち撮影手段及びレンズ駆動手段とによる自動焦点調節動作処理から得られた焦点調節結果（以下、撮影手段等の焦点調節結果という）とを確認する。
【０１６５】
この場合において、ＵＷＢ無線機能の測距結果が無限遠であり、かつ撮影手段等の焦点調節結果が有限である（即ち被写体像のコントラスト検出から得られたレンズ合焦点より導き出される被写体距離が有限である）ことが確認された場合には、本デジタルカメラ１００は水中環境にあるものと推定されて、次のステップＳ５の処理に進む。
【０１６６】
ステップＳ５において、第１ＣＰＵ３１は、自己のカウンタ値をインクリメントする（ｃｏｕｎｔ＝ｃｏｕｎｔ＋１）。その後、ステップＳ６の処理に進む。
【０１６７】
ステップＳ６において、第１ＣＰＵ３１は、カウンタ値が所定値「４」以上か否かの確認を行う（ｃｏｕｎｔ≧４）。ここで、カウンタ値が所定値「４」に達していない場合（ｃｏｕｎｔ＜４）には、上述のステップＳ３Ａの処理に戻り、以降の処理を繰り返す。一方、カウンタ値が所定値「４」以上である場合（ｃｏｕｎｔ≧４）には、次のステップＳ７の処理に進む。
【０１６８】
ステップＳ７において、第１ＣＰＵ３１は、本デジタルカメラ１００の動作モードを水中撮影モードに設定する処理を行う（図４の同処理ステップと同様）。
【０１６９】
そして、上述のステップＳ７の処理にて、水中撮影モード設定処理を実行した後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１７０】
つまり、ステップＳ２２の処理による確認ステップの結果によって、ステップＳ３Ａ，ステップＳ３Ｂの各処理を最大４回繰り返し、４回とも同じ結果であった場合には、デジタルカメラ１００は水中環境下に存在している状態であると推定し、データ通信モードを自動的に無線通信モードに切り換える制御を行う。
【０１７１】
一方、上述のステップＳ２２の処理において、ＵＷＢ無線機能の測距結果と撮影手段等の焦点調節結果とが、上述した組み合わせ、即ちＵＷＢ無線機能の測距結果が無限遠で、かつ撮影手段等の焦点調節結果が有限である組み合わせの結果以外であることが確認された場合には、本デジタルカメラ１００は水中以外の環境にあるものと推定されて、ステップＳ８の処理に進む。
【０１７２】
つまり、ＵＷＢ無線機能の測距結果が無限遠である場合とは、無線アンテナから発信した測距用の無線信号（電磁波）が水等の媒体によって減衰してしまい受信信号を得られない環境、即ち本デジタルカメラ１００が水中環境下にあると推定される。
【０１７３】
また、撮影手段等の焦点調節結果としては、水中環境にある場合でも、水中以外の環境にある場合でも、通常の場合は被写体に対してコントラストを検出し、何らかの結果を得ることができる、つまり自動焦点調節結果を得ることができる。また、被写体像によってはコントラスト検出を得られない場合があるが、その場合には、被写体が無限遠にあると推定し、無限遠に対応する焦点調節結果が得られる。また、実際に主要被写体が充分に遠距離にある場合には、コントラスト検出方式による焦点調節結果として無限遠を得る場合もある。
【０１７４】
したがって、本実施形態においては、撮像手段による焦点調節結果が有限であるにも関らず、ＵＷＢ無線システムによる無線機能の測距結果が無限遠となる場合には、デジタルカメラ１００は水中環境下にあると推定される。
【０１７５】
換言すれば、ＵＷＢ無線機能の測距結果が無限遠以外の場合には、常にデジタルカメラ１００は水中以外の環境下にあると推定される。また、ＵＷＢ無線機能の測距結果が無限遠の場合であっても、撮像手段による焦点調節結果が無限遠である場合には、両手段による処理が適正に処理されているものと推定し、デジタルカメラ１００は水中以外の環境下にあると推定される。
【０１７６】
図７に戻って、上記ステップＳ２２の処理において、本デジタルカメラ１００が水中以外の環境にあるものと推定されて、ステップＳ８の処理に進むと、このステップＳ８において、第１ＣＰＵ３１は、本デジタルカメラ１００の動作モードを、通常モードに設定する処理を行う（図４の同処理ステップと同様）。
【０１７７】
そして、上述のステップＳ８の処理にて、通常モード設定処理を実行した後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１７８】
以上説明したように上記第４の実施形態によれば、ＵＷＢ無線システムによる無線通信手段及び測距手段を備えたデジタルカメラ１００において、撮影モードでの起動時に無線機能による測距動作と、撮影手段等による自動焦点調節（ＡＦ）動作とを順次行って、その測距結果及び焦点調節結果に基づいて、本デジタルカメラ１００が水中環境下にあるか否かの検出を行い、その検出結果に基づいて、上記第１の実施形態と同様の処理にて、本デジタルカメラ１００の動作モードのうち撮影モードとデータ通信モードとを、その場の環境に応じた適切な動作モードに自動的に設定するようにしている。
【０１７９】
したがって、上述の第１の実施形態と同様の効果を得ることができる。さらに、本実施形態では、デジタルカメラ１００の置かれている環境の検出を行うのに、無線機能による測距動作と併せて撮影手段による焦点調節動作によっているので、検出のための電力消費をより低減化させることができる。これと共に、電磁波と光学的測定の異なる二種類の方式による測距を行うことによって、より高精度な判別が可能となっている。さらに、これらの処理に必要な構成部材は、もともとカメラに備わっている部材を利用しているので、特に検出のための部材を追加することなく低コストで検出のための構成の実現を可能としている。
【０１８０】
次に、本発明の第５の実施形態の撮影装置（デジタルカメラ）について、以下に説明する。
【０１８１】
本実施形態では、デジタルカメラ１００が起動している状態においては、当該デジタルカメラ１００がどのような環境にあるかを、常に監視するようにし、環境の変化に応じて、動作モードを自動的に切り換えると共に、デジタルカメラ１００が無線機能によるデータ通信モードで動作し得る環境（即ち水中以外の環境）にあって、かつデジタルカメラ１００の記録媒体１６に画像データ等を有しているときには、自動的に無線機能によるデータ通信モードに切り換え、データ転送先の外部装置が近傍にあれば、自動的にデータ転送処理を実行するというものである。
【０１８２】
このような一連の処理を実行するための本実施形態の撮影装置であるデジタルカメラの構成は、上述の第１の実施形態のデジタルカメラと全く同様のもであり、その作用が異なるのみである。したがって、本実施形態のデジタルカメラの構成についても、その詳細説明は省略し図１〜図３を参照するものとする。
【０１８３】
図８は、本発明の第５の実施形態の撮影装置（デジタルカメラ）を撮影動作可能な状態（撮影モード）で起動（パワーオン）させたときの作用の流れを示すフローチャートである。
【０１８４】
まず、上述の第１の実施形態と同様に、使用者がデジタルカメラ１００の電源ボタン２３ｐ（図２，図３参照）の押圧操作を行って、これにより、本デジタルカメラ１００が撮影モードで起動すると、図８のステップＳ３１において、第１ＣＰＵ３１は、本デジタルカメラ１００の内部回路の初期化処理を実行する。また、これと同時に、第１ＣＰＵ３１は、ＵＷＢ測距制御機能部３１ｄの内部に有する無線測距タイマーの初期化を行う。その後、次のステップＳ３２の処理に進む。
【０１８５】
ステップＳ３２において、第１ＣＰＵ３１は、キーマトリクス２３から生じる指示信号を監視する撮影待機状態処理の実行を開始する。その後、次のステップＳ３３の処理に進む。
【０１８６】
ステップＳ３３において、第１ＣＰＵ３１は、キーマトリクス２３のうちレリーズボタン２３ａからの指示信号が発生したか否かの確認を行う。ここで、レリーズボタン２３ａによるレリーズ指示信号が受信されたことが確認された場合には、ステップＳ３４の処理に進む。
【０１８７】
ステップＳ３４において、第１ＣＰＵ３１は、撮影動作処理を実行する。この撮影動作処理は、従来の一般的なデジタルカメラにおける撮影動作処理と略同様の処理である。
【０１８８】
例えば、本デジタルカメラ１００の撮影モードにおける設定が、水中以外の環境下での撮影に適した通常モードの設定がなされている場合には、第１ＣＰＵ３１は、シャッターレリーズ指示信号を受けて自動露出制御や自動焦点調節動作（無線機能による測距動作若しくは撮像手段を用いたコントラスト検出方式による自動焦点調節動作）を行った後、撮像素子２を駆動させて画像信号の取得動作を実行する。そして、これにより取得した画像データを記録媒体１６に記録する記録動作を行う。
【０１８９】
一方、本デジタルカメラ１００の撮影モードにおける設定が、水中環境下での撮影に適した水中撮影モードが設定されている場合には、第１ＣＰＵ３１は、同様にシャッターレリーズ指示信号を受けて自動露出制御や自動焦点調節動作（撮像手段を用いたコントラスト検出方式による自動焦点調節動作）を行った後、撮像素子２を駆動させて画像信号の取得動作を実行する。そして、これにより取得した画像データを記録媒体１６に記録する記録動作を行う。この場合において、第１ＣＰＵ３１は、取得した画像データについて、その画像データが水中環境下における撮影動作によって取得されたものである旨を表わす情報を関連データとして付加するようになっている。
【０１９０】
こうして、上述のステップＳ３４の撮影動作処理が終了したら、次のステップＳ５０の処理に進む。
【０１９１】
ステップＳ５０において、第１ＣＰＵ３１は、キーマトリクス２３のうち電源ボタン２３ｐからの指示信号、即ちパワーオフ指示信号が発生したか否かの確認を行う。ここで、電源ボタン２３ｐによるパワーオフ指示信号が所定時間の間に生じていないことが確認された場合には、上述のステップＳ３１の処理に進み、以降の処理を繰り返す。
【０１９２】
また、上述のステップＳ５０の処理において、第１ＣＰＵ３１が電源ボタン２３ｐによるパワーオフ指示信号を受信したことを確認した場合には、次のステップＳ５１の処理に進む。
【０１９３】
ステップＳ５１において、第１ＣＰＵ３１は、パワーオフ処理を実行した後、一連の処理を終了する。
【０１９４】
一方、上述のステップＳ３３の処理において、第１ＣＰＵ３１によりレリーズボタン２３ａからのレリーズ指示信号が所定時間の間に生じていないことが確認された場合には、ステップＳ３５の処理に進む。
【０１９５】
ステップＳ３５において、第１ＣＰＵ３１は、ＵＷＢ測距制御機能部３１ｄの無線測距タイマーによる計時が１０秒経過したか否かの確認を行う。ここで、無線測距タイマーの計時が未だ１０秒経過していない場合には、ステップＳ５０の処理に進み、このステップＳ５０において、上述したようにパワーオフ指示信号の確認を行い、パワーオフ指示信号を確認した場合には、ステップＳ５１においてパワーオフ処理が実行され、パワーオフ指示信号が所定時間の間に確認されない場合には、ステップＳ３２の処理に戻り、以降の処理を繰り返す。
【０１９６】
一方、上述のステップＳ３５の処理において、第１ＣＰＵ３１は、無線測距タイマーの計時が１０秒経過していることを確認した場合には、次のステップＳ３６の処理に進む。
【０１９７】
ステップＳ３６において、第１ＣＰＵ３１は、ＵＷＢ無線システムによる無線機能を測距モードでオン制御し、自己の内部カウンタ値をリセットする（ｃｏｕｎｔ＝０）。その後、ステップＳ３７の処理に進む。
【０１９８】
ステップＳ３７において、第１ＣＰＵ３１は、ＵＷＢ測距制御機能部３１ｄを介してＵＷＢ測距回路３４，第１無線アンテナ２１ａ，第２無線アンテナ２１ｂを制御して、ＵＷＢ無線システムによる測距動作処理を実行する。その後、ステップＳ３８の処理に進む。
【０１９９】
ステップＳ３８において、第１ＣＰＵ３１は、
上述のステップＳ３７の処理にてＵＷＢ無線システムによる測距手段を用いて得られた測距結果についての確認を行う。即ち、第１ＣＰＵ３１は、第１無線アンテナ２１ａによる測距結果と、第２無線アンテナ２１ｂによる測距結果との両方共が無限遠であるか否かの確認を行う。ここで、第１無線アンテナ２１ａ及び第２無線アンテナ２１ｂの測距結果が両方共、無限遠であることが確認された場合には、本デジタルカメラ１００は水中環境にあるものとして、次のステップＳ３９の処理に進む。
【０２００】
ステップＳ３９において、第１ＣＰＵ３１は、自己の内部に有するカウンタ値をインクリメントする（ｃｏｕｎｔ＝ｃｏｕｎｔ＋１）。その後、ステップＳ４０の処理に進む。
【０２０１】
ステップＳ４０において、第１ＣＰＵ３１は、カウンタ値が所定値「４」以上か否かの確認を行う（ｃｏｕｎｔ≧４）。ここで、カウンタ値が所定値「４」に達していない場合（ｃｏｕｎｔ＜４）には、上述のステップＳ３７の処理に戻り、以降の処理を繰り返す。一方、カウンタ値が所定値「４」以上である場合（ｃｏｕｎｔ≧４）には、次のステップＳ４１の処理に進む。
【０２０２】
ステップＳ４１において、第１ＣＰＵ３１は、本デジタルカメラ１００の動作モードを、水中撮影モードに設定する処理を行う。その後、次のステップＳ４２の処理に進む。
【０２０３】
ステップＳ４２において、第１ＣＰＵ３１は、ＵＷＢ無線システムによる無線機能をオフ制御して停止させる処理を行うと共に、ＵＷＢ測距制御機能部３１ｄの無線測距タイマーの初期化処理を実行する。その後、ステップＳ５０の処理に進む。
【０２０４】
そして、ステップＳ５０，ステップＳ５１の処理を、上述したのと同様に実行する。
【０２０５】
一方、上述のステップＳ３８の処理において、第１ＣＰＵ３１は、第１無線アンテナ２１ａ及び第２無線アンテナ２１ｂの測距結果の少なくとも一方若しくは両方共が無限遠ではないことを確認した場合には、本デジタルカメラ１００は水中以外の環境にあるものとして、ステップＳ４３の処理に進む。
【０２０６】
ステップＳ４３において、第１ＣＰＵ３１は、本デジタルカメラ１００の動作モードを、通常モードに設定する処理を行う。その後、ステップＳ４４の処理に進む。
【０２０７】
ステップＳ４４において、第１ＣＰＵ３１は、第２ＣＰＵ３２，記録媒体インターフェース１５を介して記録媒体１６の記録領域を検索し、外部装置（図示せず）に対して転送すべき画像データ等が存在するか否かの確認を行う。ここで、記録媒体１６に、転送すべき画像データ等がないことが確認された場合には、上述のステップＳ４２の処理に進み、以降の処理を実行する。また、記録媒体１６に、転送すべき画像データ等があることが確認された場合には、次のステップＳ４５の処理に進む。
【０２０８】
ステップＳ４５において、第１ＣＰＵ３１は、ＵＷＢ通信制御機能部３１ｆを介してＵＷＢ無線システムによる無線通信手段を制御して、当該デジタルカメラ１００の近傍に無線接続によるデータ通信を行う相手側となる外部装置（データ転送先）を検索する処理の実行を開始する。その後、ステップＳ４６の処理に進む。
【０２０９】
ステップＳ４６において、第１ＣＰＵ３１は、上述のステップＳ４５の処理による検索処理の結果に基づいて、無線接続によるデータ通信を行ってデータ転送する相手側として適する外部装置（データ転送先）が当該デジタルカメラ１００の近傍に存在するか否かの確認を行う。ここで、適当なデータ転送先がないと確認された場合には、ステップＳ４９の処理に進む。
【０２１０】
ステップＳ４９において、第１ＣＰＵ３１は、ＴＦＴ液晶駆動回路９を介してＴＦＴパネル１０を駆動制御して、当該ＴＦＴパネル１０の表示部を用いて当該デジタルカメラ１００の近傍にはデータ転送を行うことのできる適当な外部装置（データ転送先）が存在しない旨の「転送先無し警告」を表示する警告表示処理を実行する。その後、上述のステップＳ４２の処理に進み、以降の処理を実行する。
【０２１１】
一方、上述のステップＳ４５の処理による検索処理の結果、適当なデータ転送先があることが確認された場合には、次のステップＳ４７の処理に進む。
【０２１２】
ステップＳ４７において、第１ＣＰＵ３１は、ＵＷＢ無線システムによる無線機能を通信モードで機能し得るように、切り換え処理を行った後、通信機能の初期化処理を実行する。その後、ステップＳ４８の処理に進む。
【０２１３】
ステップＳ４８において、第１ＣＰＵ３１は、
第２ＣＰＵ３２を介して記録媒体インターフェース１５を制御して、記録媒体１６に記録されている画像データ等を読み出し、一時記憶すると共に、同画像データ等を無線データ通信により外部装置の記録媒体へ向けて転送する無線データ転送処理を自動的に実行する。このデータ転送処理を終えて、デジタルカメラ１００側から外部装置側へと転送済みの画像データ等を、デジタルカメラ１００側の記録媒体１６内から自動的に消去する処理を実行する。若しくは消去せずに、転送済みデータに対して転送済みである旨の情報を付加する処理を行う。その後、上述のステップＳ４２の処理に進み、以降の処理を実行する。
【０２１４】
以上説明したように上記第５の実施形態によれば、ＵＷＢ無線システムによる無線通信手段及び測距手段を備えたデジタルカメラ１００において、当該デジタルカメラ１００が起動している状態にあっては、そのデジタルカメラ１００がどのような環境にあるか、即ち水中環境にあるのか若しくは水中以外の通常環境にあるのかを常に監視して、この常時監視による結果、当該デジタルカメラ１００が置かれている環境に応じて、動作モード（通常モード又は水中撮影モード）のいずれか一方に自動的に切り換えると共に、デジタルカメラ１００が無線機能によるデータ通信モードで動作し得る環境（即ち水中以外の環境）にあって、かつデジタルカメラ１００の記録媒体１６に画像データ等を有しているときには、自動的に無線機能によるデータ通信モードに切り換えて、データ転送先の外部装置を検索し、当該外部装置が近傍に存在すれば、自動的にデータ転送処理が実行されるようにしている。したがって、この一連の処理が自動的に行われることにより、良好な操作性を得ることができる。
【０２１５】
上述の各実施形態においては、無線データ通信機能を実現する手段として、ＵＷＢ無線通信システムを適用した場合を例に挙げて説明したが、これらに限ることはなく、例えばＷＵＳＢ規格による無線通信システムや無線ＬＡＮ（Ｌoacal Ａrea Ｎetwork）システム，赤外線通信（ＩｒＤＡ）システム等の各種の無線通信システムを適宜適用することは容易にできる。そして、その場合の構成も上述の各実施形態と略同様な構成で容易に実現し得る。
【０２１６】
また、上記各実施形態における撮影装置は、水中環境においても使用することができるように水密性の外装部材を有するデジタルカメラを例に挙げて説明しているが、この形態に限ることはない。
【０２１７】
例えば、近年、撮影装置としてのデジタルカメラにおいては、水中等の環境下で使用するための水密性を有する透明筐体からなるいわゆる防水ケースが、付加的なアクセサリとして用意されているものがある。
【０２１８】
本発明は、このような防水ケース内に装填した状態の撮影装置であるデジタルカメラに対しても、全く同様に適用することができる。つまり、撮影装置としてのデジタルカメラ自身が水中撮影に適した外装部材を備えている必要は無く、本発明の構成及び機能を備えたデジタルカメラであれば、これを、防水ケース内に装填した状態で使用するときには、上述の各実施形態で示す撮影装置としてのデジタルカメラと全く同様の構成及び機能を有し、全く同様の効果を得ることができる。
【０２１９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０２２０】
【図１】本発明の第１の実施形態の撮影装置（デジタルカメラ）の内部構成の概略を示すブロック構成図。
【図２】図１のデジタルカメラの正面図。
【図３】図１のデジタルカメラの背面図。
【図４】図１のデジタルカメラを撮影動作可能な状態（撮影モード）で起動（パワーオン）させたときの作用の流れを示すフローチャート。
【図５】本発明の第２の実施形態の撮影装置（デジタルカメラ）を撮影動作可能な状態（撮影モード）で起動（パワーオン）させたときの作用の流れを示すフローチャート。
【図６】本発明の第３の実施形態の撮影装置（デジタルカメラ）をデータ通信動作を行い得るデータ通信モードで起動（パワーオン）させたときの作用の流れを示すフローチャート。
【図７】本発明の第４の実施形態の撮影装置（デジタルカメラ）を撮影動作可能な状態（撮影モード）で起動（パワーオン）させたときの作用の流れを示すフローチャート。
【図８】本発明の第５の実施形態の撮影装置（デジタルカメラ）を撮影動作可能な状態（撮影モード）で起動（パワーオン）させたときの作用の流れを示すフローチャート。
【符号の説明】
【０２２１】
１……レンズ
２……撮像素子
３……撮像回路
４……Ａ／Ｄ変換器
１０……ＴＦＴパネル
１５……記録媒体インターフェース
１６……記録媒体
１７……アクチュエータ
１８……アクチュエータ駆動回路
２０……外部無線データインターフェース
２１ａ……第１無線アンテナ
２１ｂ……第２無線アンテナ
２２……外部有線データインターフェース
２３……キーマトリクス
２３ａ……tレリーズボタン
２３ｐ……電源ボタン
２９……電池状態検出回路
３１……第１ＣＰＵ
３１ａ……システムコントロール部
３１ｂ……ＵＷＢ通信制御機能部
３１ｃ……ＷＵＳＢ通信制御機能部
３１ｄ……ＵＷＢ測距制御機能部
３１ｅ……カメラ通信モード切換機能部
３１ｆ……ＵＷＢ通信制御機能部
３４……ＵＷＢ測距回路
【図１】
2008245109.tif 000003
【図２】
2008245109.tif 000004
【図３】
2008245109.tif 000005
【図４】
2008245109.tif 000006
【図５】
2008245109.tif 000007
【図６】
2008245109.tif 000008
【図７】
2008245109.tif 000009
【図８】
2008245109.tif 000010